(57)【要約】【課題】磁気ディスク装置において、安価な構成でフォームファクタを守りながら、磁気ヘッドに対するシールド機能を向上すること。【解決手段】磁気ディスク装置５０は、回転円板型の磁気ディスク３と、情報を記録又は再生する磁気ヘッドと、磁気ヘッドを支持する磁気ヘッド支持機構４と、磁気ヘッド支持機構４を挿入する開口部１３を有して磁気ディスク３の外周を囲むように設けたシュラウド１０と、筐体１とを備える。筐体１は、ベース１ａ及びカバー１ｂからなり、磁気ディスク３、磁気ヘッド、磁気ヘッド支持機構４及びシュラウド１０を収納している。ベース１ａは非磁性材料で構成され、シュラウド１０は磁性材料で構成されている。【選択図】図１
2006079745.tif 000002
【特許請求の範囲】
【請求項１】
回転円板型の磁気ディスクと、
前記磁気ディスクに情報を記録又は前記磁気ディスクから情報を再生する磁気ヘッドと、
前記磁気ヘッドを支持する磁気ヘッド支持機構と、
前記磁気ヘッド支持機構を挿入する開口部を有して前記磁気ディスクの外周を囲むように設けたシュラウドと、
ベース及びカバーからなり、前記磁気ディスク、前記磁気ヘッド、前記磁気ヘッド支持機構及び前記シュラウドを収納した筐体とを備え、
前記ベースを非磁性材料で構成すると共に、前記シュラウドを磁性材料で構成した
ことを特徴とする磁気ディスク装置。
【請求項２】
請求項１に記載の磁気ディスク装置において、前記シュラウドは少なくとも上端部または下端部が全周にわたって連続する部分を有して前記開口部を形成したことを特徴とする磁気ディスク装置。
【請求項３】
回転円板型の磁気ディスクと、
前記磁気ディスクに情報を記録又は前記磁気ディスクから情報を再生する磁気ヘッドと、
前記磁気ヘッドを支持する磁気ヘッド支持機構と、
前記磁気ヘッド支持機構を挿入する開口部を有して前記磁気ディスクの外周を囲むように設けたシュラウドと、
ベース及びカバーからなり、前記磁気ディスク、前記磁気ヘッド、前記磁気ヘッド支持機構及び前記シュラウドを収納した筐体とを備え、
前記ベースを非磁性材料で構成すると共に、前記カバーを磁性材料で構成して前記磁気ディスクを覆い、さらには前記シュラウドを磁性材料で構成して前記カバーに連接した
ことを特徴とする磁気ディスク装置。
【請求項４】
請求項３に記載の磁気ディスク装置において、前記カバーの厚さを０．５ｍｍ〜１．５ｍｍの範囲内に設定したことを特徴とする磁気ディスク装置。
【請求項５】
回転円板型の磁気ディスクと、
前記磁気ディスクの中央部を支持してこの磁気ディスクを回転するスピンドル機構と、
前記磁気ディスクに情報を記録又は前記磁気ディスクから情報を再生する磁気ヘッドと、
前記磁気ヘッドを支持する磁気ヘッド支持機構と、
前記磁気ヘッド支持機構を挿入する開口部を有して前記磁気ディスクの外周を囲むように設けたシュラウドと、
ベース及びカバーからなり、前記磁気ディスク、前記スピンドル機構、前記磁気ヘッド、前記磁気ヘッド支持機構及び前記シュラウドを収納した筐体とを備え、
前記ベースを非磁性材料で構成すると共に、前記シュラウドを磁性材料で構成し、さらには前記スピンドル機構のシャフトを磁性材料で構成した
ことを特徴とする磁気ディスク装置。
【請求項６】
請求項５に記載の磁気ディスク装置において、前記カバーを磁性材料で構成し、前記スピンドル機構のシャフトを磁性材料で構成された締結具を介して前記カバーに連接したことを特徴とする磁気ディスク装置。
【請求項７】
回転円板型の磁気ディスクと、
前記磁気ディスクの中央部を支持してこの磁気ディスクを回転するスピンドル機構と、
前記磁気ディスクに情報を記録又は前記磁気ディスクから情報を再生する磁気ヘッドと、
前記磁気ヘッドを支持する磁気ヘッド支持機構と、
前記磁気ヘッド支持機構を挿入する開口部を有して前記磁気ディスクの外周を囲むように設けたシュラウドと、
ベース及びカバーからなり、前記磁気ディスク、前記スピンドル機構、前記磁気ヘッド、前記磁気ヘッド支持機構及び前記シュラウドを収納した筐体とを備え、
前記ベースを非磁性材料で構成すると共に、前記カバーを磁性材料で構成して前記磁気ディスクを覆い、前記シュラウドを磁性材料で構成して前記磁性材料で構成されたカバーに連接し、前記スピンドル機構のシャフトを磁性材料で構成して前記カバーに連接した
ことを特徴とする磁気ディスク装置。
【請求項８】
回転円板型の磁気ディスクと、
前記磁気ディスクに情報を記録又は前記磁気ディスクから情報を再生する磁気ヘッドと、
前記磁気ヘッドを支持する磁気ヘッド支持機構と、
前記磁気ヘッド支持機構を挿入する開口部を有して前記磁気ディスクの外周を囲むように設けたシュラウドと、
ベース及びカバーからなり、前記磁気ディスク、前記磁気ヘッド、前記磁気ヘッド支持機構及び前記シュラウドを収納した筐体と、
前記カバーの内側に設けた上部シールドとを備え、
前記ベース及び前記カバーを非磁性材料で構成すると共に、前記上部シールドを磁性材料で構成して前記磁気ディスクを覆い、さらには前記シュラウドを磁性材料で構成して前記上部シールドに連接した
ことを特徴とする磁気ディスク装置。
【請求項９】
請求項８に記載の磁気ディスク装置において、前記スピンドル機構と前記上部シールドとを非接触としたことを特徴とする磁気ディスク装置。
【発明の詳細な説明】
【技術分野】
【０００１】
本発明は、磁気ディスク装置に係わり、特に垂直磁気記録方式で情報を記録する磁気ディスク装置に好適なものである。
【背景技術】
【０００２】
垂直磁気記録方式を採用する磁気ディスク装置では、外部から磁界が印加された場合には、磁気ヘッドの構成上、外部磁界を磁気ヘッドが主磁極に集中させ、ディスク上に記録されたデータを破壊してしまうという問題が生じる可能性がある。磁気ディスク装置に加わる外部の浮遊磁界の強さそのものを小さくすることは出来ないので、外部磁界に対するシールド効果を発生する（外部磁界の強さを弱める）機能を磁気ディスク装置に持たせることが必要である。
【０００３】
そこで、従来の磁気ディスク装置として、特開２００３−７７２６６号公報（特許文献１）に示されたものが案出されている。この特許文献１の磁気ディスク装置は、垂直磁気記録方式で情報を記録する回転円板型の磁気ディスクと、磁気ディスクに情報を記録又は磁気ディスクから情報を再生する磁気ヘッドと、磁気ヘッドを磁気ディスクの半径方向に移動可能に支持するディスクドライブ機構と、ベース及びカバーからなる筐体と、磁気ヘッドを磁気シールドするために磁性材料で構成されたシールド部材とを備えて構成されている。
【０００４】
そして、特許文献１の図１〜図１６に係わる実施形態では、磁気ディスク、磁気ヘッド及びディスクドライブ機構を筐体の内部に収納し、磁気ヘッドの移動範囲の上方及び下方を含む筐体外部の上面、下面及び側面にわたってシールド部材を設けている（従来技術１）。
【０００５】
また、特許文献１の図１７に係わる実施形態では、磁気ディスク、磁気ヘッド、ディスクドライブ機構及びシールド部材を筐体の内部に収納し、磁気ヘッドに対向するベース部分及びカバー部分にのみシールド部材を設けている（従来技術２）。
【０００６】
さらに、特許文献１の図１８に係わる実施形態では、磁気ディスク、磁気ヘッド及びディスクドライブ機構を筐体の内部に収納し、前記筐体の一部を切欠いてその部分にシールド部材を設置し、そのシールド部材の先端側を磁気ディスクの両側に延伸し、その端面を磁気ヘッドの端面に対向するように位置させている（従来技術３）。
【０００７】
さらに、特許文献１の図１９に係わる実施形態では、磁気ディスク、磁気ヘッド及びディスクドライブ機構を筐体の内部に収納し、前記筐体の外面に凹部を形成し、その凹部にシールド部材を設置し、そのシールド部材の先端側を磁気ディスクの両側に延伸し、その端部を磁気ヘッドの端部に対応するよう位置させている（従来技術４）。
【０００８】
【特許文献１】特開２００３−７７２６６号公報
【発明の開示】
【発明が解決しようとする課題】
【０００９】
しかし、従来技術１では、磁気ヘッドから遠く離れた筐体外部にシールド部材を設けているため、シールド機能を十分に発揮できないと共に、シールド部材の分だけ外形寸法が大きくなってしまうという問題があった。この種の磁気ディスク装置では、２．５型（モバイル型）及び３．５型などのように大きさが制約されており、磁気シールド機能を持たせた場合にも、所定の大きさ（フォームファクタ）内に収まることが重要である。
【００１０】
また、従来技術２では、磁気ヘッドに対向するベース部分及びカバー部分にのみシールド部材を設けているため、シールド機能を十分に発揮できないという問題があった。
【００１１】
さらには、従来技術３または４では、筐体の一部を切欠き、または凹部を設けてその部分にシールド部材を設置するようにしているため、特別な形状の筐体を準備すると共にシールド部材に筐体としての機能を持たせる必要があり、コストアップを招くという問題があった。
【００１２】
そして、従来技術１〜４では、磁気ヘッドに対する横方向（側面方向）からの外部磁界に対するシールド機能を十分に発揮できるものではなかった。
【００１３】
本発明の目的は、安価な構成でフォームファクタを守りながら、磁気ヘッドに対するシールド機能を向上できる磁気ディスク装置を提供することにある。
【課題を解決するための手段】
【００１４】
前記目的を達成するために、本発明の第１の態様は、回転円板型の磁気ディスクと、前記磁気ディスクに情報を記録又は前記磁気ディスクから情報を再生する磁気ヘッドと、前記磁気ヘッドを支持する磁気ヘッド支持機構と、前記磁気ヘッド支持機構を挿入する開口部を有して前記磁気ディスクの外周を囲むように設けたシュラウドと、ベース及びカバーからなり、前記磁気ディスク、前記磁気ヘッド、前記磁気ヘッド支持機構及び前記シュラウドを収納した筐体とを備え、前記ベースを非磁性材料で構成すると共に、前記シュラウドを磁性材料で構成したことにある。
【００１５】
係る本発明の第１の態様でより好ましい具体的な構成例は、次の通りである。
（１）前記シュラウドは少なくとも上端部または下端部が全周にわたって連続する部分を有して前記開口部を形成したこと。
【００１６】
また、前記目的を達成するために、本発明の第２の態様は、回転円板型の磁気ディスクと、前記磁気ディスクに情報を記録又は前記磁気ディスクから情報を再生する磁気ヘッドと、前記磁気ヘッドを支持する磁気ヘッド支持機構と、前記磁気ヘッド支持機構を挿入する開口部を有して前記磁気ディスクの外周を囲むように設けたシュラウドと、ベース及びカバーからなり、前記磁気ディスク、前記磁気ヘッド、前記磁気ヘッド支持機構及び前記シュラウドを収納した筐体とを備え、前記ベースを非磁性材料で構成すると共に、前記カバーを磁性材料で構成して前記磁気ディスクを覆い、さらには前記シュラウドを磁性材料で構成して前記カバーに連接したことにある。
【００１７】
係る本発明の第２の態様でより好ましい具体的な構成例は、次の通りである。
（１）前記カバーの厚さを０．５ｍｍ〜１．５ｍｍの範囲内に設定したこと。
【００１８】
また、前記目的を達成するために、本発明の第３の態様は、回転円板型の磁気ディスクと、前記磁気ディスクの中央部を支持してこの磁気ディスクを回転するスピンドル機構と、前記磁気ディスクに情報を記録又は前記磁気ディスクから情報を再生する磁気ヘッドと、前記磁気ヘッドを支持する磁気ヘッド支持機構と、前記磁気ヘッド支持機構を挿入する開口部を有して前記磁気ディスクの外周を囲むように設けたシュラウドと、ベース及びカバーからなり、前記磁気ディスク、前記スピンドル機構、前記磁気ヘッド、前記磁気ヘッド支持機構及び前記シュラウドを収納した筐体とを備え、前記ベースを非磁性材料で構成すると共に、前記シュラウドを磁性材料で構成し、さらには前記スピンドル機構のシャフトを磁性材料で構成したことにある。
【００１９】
係る本発明の第３の態様でより好ましい具体的な構成例は、次の通りである。
（１）前記カバーを磁性材料で構成し、前記スピンドル機構のシャフトを磁性材料で構成された締結具を介して前記カバーに連接したこと。
【００２０】
また、前記目的を達成するために、本発明の第４の態様は、回転円板型の磁気ディスクと、前記磁気ディスクの中央部を支持してこの磁気ディスクを回転するスピンドル機構と、前記磁気ディスクに情報を記録又は前記磁気ディスクから情報を再生する磁気ヘッドと、前記磁気ヘッドを支持する磁気ヘッド支持機構と、前記磁気ヘッド支持機構を挿入する開口部を有して前記磁気ディスクの外周を囲むように設けたシュラウドと、ベース及びカバーからなり、前記磁気ディスク、前記スピンドル機構、前記磁気ヘッド、前記磁気ヘッド支持機構及び前記シュラウドを収納した筐体とを備え、前記ベースを非磁性材料で構成すると共に、前記カバーを磁性材料で構成して前記磁気ディスクを覆い、前記シュラウドを磁性材料で構成して前記磁性材料で構成されたカバーに連接し、前記スピンドル機構のシャフトを磁性材料で構成して前記カバーに連接したことにある。
【００２１】
また、前記目的を達成するために、本発明の第５の態様は、回転円板型の磁気ディスクと、前記磁気ディスクに情報を記録又は前記磁気ディスクから情報を再生する磁気ヘッドと、前記磁気ヘッドを支持する磁気ヘッド支持機構と、前記磁気ヘッド支持機構を挿入する開口部を有して前記磁気ディスクの外周を囲むように設けたシュラウドと、ベース及びカバーからなり、前記磁気ディスク、前記磁気ヘッド、前記磁気ヘッド支持機構及び前記シュラウドを収納した筐体と、前記カバーの内側に設けた上部シールドとを備え、前記ベース及び前記カバーを非磁性材料で構成すると共に、前記上部シールドを磁性材料で構成して前記磁気ディスクを覆い、さらには前記シュラウドを磁性材料で構成して前記上部シールドに連接したことにある。
【００２２】
係る本発明の第５の態様でより好ましい具体的な構成例は、次の通りである。
（１）前記スピンドル機構と前記上部シールドとを非接触としたこと。
【発明の効果】
【００２３】
本発明によれば、安価な構成でフォームファクタを守りながら、磁気ヘッドに対するシールド機能を向上できる磁気ディスク装置を実現できる。
【発明を実施するための最良の形態】
【００２４】
以下、本発明の複数の実施例について図を用いて説明する。各実施例の図における同一符号は同一物または相当物を示す。なお、それぞれの実施例を必要に応じて適宜に組み合わせることにより、より効果的なものとすることができる。
（第１実施例）
本発明の第１実施例の磁気ディスク装置を図１から図１２を用いて説明する。
【００２５】
本実施例の磁気ディスク装置５０の全体構成に関して図１〜図４を参照しながら説明する。図１は本実施例の磁気ディスク装置５０の斜視図、図２は図１のスピンドル機構部の縦断面図、図３は図１の磁気ヘッドスライダ部の側面図、図４は図１のシュラウドの単体状態の斜視図である。
【００２６】
磁気ディスク装置５０は、スピンドル機構２、磁気ディスク３、磁気ヘッド支持機構４、位置決め機構６及びシュラウド１０を筐体１の内部に密閉して収納している。
【００２７】
筐体１は、ランチボックス型のベース１ａと、そのベース１ａの上面開口を塞ぐカバー１ｂとから構成され、上下で半割れする構造となっている。ベース１ａは、一般的な磁気ディスク装置の筐体と同様な構造であり、非磁性材料（例えばアルミニウムなど）で構成されている。ベース１ａは磁気ディスク３及びシュラウド１０を収納する周囲壁を有している。カバー１ｂは磁性材料で構成され、シールド部材を構成している。カバー１ｂとベース１ａとは締結具（図示せず）で固定され、カバー１ｂとスピンドル機構２は、磁性材料からなる締結具(例えば、ネジ)１００で固定されている。
【００２８】
スピンドル機構２は、磁気ディスク３を回転するためのものであり、図２に示すように、磁性材料からなるシャフト（静止軸）２１と、該シャフト２１の上下に設けられたベアリング２２と、該ベアリング２２に連接されたハブ２３と、該ハブ２３に取付けられた磁石２４と、給電されると磁界を発生するコイル２５とから構成されている。そして、磁性材料からなるシャフト２１の一端（下端）はベース１ａに接合され、その他端（上端）は磁性材料からなる締結具１００により磁性材料からなるカバー１ｂに接合されている。すなわち、シャフト２１の他端はカバー１ｂに磁気的に連接されている。本実施例では、ベアリング２２による玉軸受を示したが、流体軸受（すべり軸受）でも良い。
【００２９】
磁気ディスク３は垂直磁気記録方式で情報を環状のトラックに記録する回転円板型の磁気ディスクで構成されている。複数枚（図示例では５枚）の磁気ディスク３が図２に示すようにスピンドル機構２のハブ２３に積層されて固定されており、高速で回転される。複数の磁気ディスク３はスペーサ３１を介して等間隔に設置されている。環状のトラックは磁気ディスク３の内周から外周にわたって多数設けられている。素子部である磁気ヘッド９ａ（図３参照）は、磁気ヘッド支持機構４及び位置決め機構６により各トラックに異動されて位置決めされ、記録または再生動作が行なわれる。各磁気ディスク３の表面側（カバー側）と裏面側（ベース側）に磁気ヘッド９ａが各１個づつ搭載されている。磁気ディスク３の外径は約８４ｍｍ、内径は約３０ｍｍで、一般に３．５型磁気ディスク装置と呼ばれる大きさの磁気ディスク装置である。但し、磁気ディスク３は３インチ（外径８４ｍｍ）が搭載されている。
【００３０】
磁気ヘッド支持機構４は、磁気ディスク３に情報を記録又は磁気ディスク３から情報を再生する磁気ヘッド９ａを支持するためのものであり、図３に示すように、磁気ヘッド９ａを搭載して磁気ディスク３上を浮上する磁気ヘッドスライダ９と、この磁気ヘッドスライダ９を先端側に支持したサスペンション４０とから構成されている。
【００３１】
磁気ヘッドスライダ９は、磁気ヘッド９ａを先端側に搭載し、磁気ディスク３の回転に伴って生ずる空気流によってディスク面から浮上するよう構成されている。磁気ヘッドスライダ９（磁気ヘッド９ａ）は、磁気ディスク３の半径方向に移動可能に支持されている。また、サスペンション４０は、磁気ヘッドスライダ９の動きを拘束しないようにピボット支持すると共に、磁気ヘッドスライダ９をディスク面に押し付ける押付け荷重を磁気ヘッドスライダ９に与えている。サスペンション４０の根元側（すなわち、磁気ヘッド支持機構４の根元側）はアーム５に連結されている。
【００３２】
位置決め機構６は、アーム５、ボイスコイルモータ７及びピボットベアリング８を備えて構成されており、アーム５をボイスコイルモータ７でピボットベアリング８を中心に回転（揺動）させ、磁気ヘッド９ａを磁気ディスク３の所定トラックに位置決めするものである。
【００３３】
シュラウド１０は磁性材料で構成されてシールド部材を構成している。このシュラウド１０は、磁気ディスク３の外周を取り囲むように円筒状に設けられており、磁気ヘッド支持機構４を挿入するための開口部１３が位置決め機構６の側に設けられている。また、シュラウド１０の内壁１４は磁気ディスク３の外縁から微小な距離を隔てて非接触となっている。この間隔は、ディスクの流体振動低減の観点から０．６ｍｍ以下が望ましい。シュラウド１０の外壁１５はベース１ａの周囲壁の内側と接触するように設けられている。シュラウド１０の高さはベース１ａの高さとほぼ同じである。シュラウド１０の下端１２はベース１ａ上に載置され、その上端１１はカバー１ｂをベース１ａに取り付けた状態でカバー１ｂと接触するようになっている。これによって、磁性材料で構成されたカバー１ｂと磁性材料で構成されたシュラウド１０とは磁気的に連接されている。
【００３４】
本実施例においては、カバー１ｂ、シュラウド１０、シャフト２１を磁性材料で製作し、それらがお互いに連接する構造とすることにより、外部磁界に対する顕著なシールド効果を発生させている。
【００３５】
本発明におけるシールド効果に関して図５〜図１１を参照しながら説明する。
【００３６】
本発明のシールド効果を確認するために、図５に示すように、本実施例の構成をモデル化して外部磁界に対するシールド効果の計算を行った。図５の符号は、それぞれの部材の符号に対応しており、カバー１ｂにシュラウド１０及びシャフト２１が連接されている。ここで、計算条件として、次の通り設定した。全ての材料は、磁性材料であり、ボイスコイルモータ７のヨーク材に使われているＳＰＣＣ材とした。また、カバー１ｂとシュラウド１０の厚さは１．０ｍｍ、シュラウドの高さは２０ｍｍとした。また、シャフト２１は、外径（直径Φ）４ｍｍ、内径（直径Φ）２ｍｍの中空円筒とし、高さを２０ｍｍとした。また、外部磁界の大きさ（外部磁束密度）は３００ガウスで、磁界の向きは磁気ディスクの垂直記録に最も影響を与えやすいディスク面に直角方向とした。
【００３７】
図６に計算結果の観測面を示す。対象とした磁気ディスク装置では５枚の磁気ディスク３を搭載しているために、各磁気ディスク３の高さ方向に対応させて、５つの観測面とした。具体的には、カバー１ｂからの高さを、１ｍｍ、５ｍｍ、１０ｍｍ、１５ｍｍ及び１９ｍｍとし、また、半径位置はディスクの最内周（１５ｍｍ）から、最外周（４２ｍｍ）とし、その位置はシュラウド１０の窓１３に対応する観測線２００の上とした。この観測線２００は、磁気ヘッド９ａが半径方向に移動する時の軌跡とほぼ同じ位置である。
【００３８】
上記の条件で計算した結果を、図７Ａに数値で、図７Ｂにグラフで示す。図７に示すように、外部磁束密度３００ガウスに対して、本実施例ではシールド効果があることが分かる。具体的には、カバー１ｂからの距離が１ｍｍの位置では、内周から外周まで顕著なシールド効果があり、磁束密度を内周で５６％に、外周で４３％に、それぞれ低減できることがわかる。この低減効果は、カバー１ｂからの距離が１ｍｍから１０ｍｍまで、ほぼ同じ効果が有り、距離が遠くなるに従いその効果は小さくなるが、全ての位置で、その効果がある事がわかる。但し、カバー１ｂから１９ｍｍ（ベース１ａから１ｍｍ）の位置では、最外周半径位置（４２ｍｍ）で、磁束密度が僅かに大きくなる現象が見られる。このため、このようにベース１ａに近い位置では、最外周より５ｍｍ程度内側を利用する事が望ましい。実用的には、磁気ディスク３の最外周領域は、磁気ディスク３のハンドリングなどに使われており、データの記録領域に使われていないので、実用的な問題はない。もし、磁気ディスク３の外周まで使いたい場合には、シュラウド１０のベース側の端面から、１ｍｍより内側に（カバー側に）円板を乗せることが望ましい。
【００３９】
シュラウド１０、カバー１ｂ及びシャフト２１の各々のシールド効果を図８に示す。図８Ａに数値で、図８Ｂにグラフでシールド効果を示す。観測点のスピンドル方向の位置は、シュラウド１０の高さ方向の中心位置（図７におけるカバーからの距離が１０ｍｍの位置）とした。シュラウド１０、カバー１ｂ及びシャフト２１を全て磁性材料で構成して連接したシールド構造をｒ１とし、シュラウド１０及びカバー１ｂを磁性材料で構成して連接したシールド構造をｒ２とし、シュラウド１０及びシャフト２１を磁性材料で構成したシールド構造をｒ３とし、シュラウド１０のみを磁性材料で構成したシールド構造をｒ４とする。
【００４０】
図８Ａから明らかなように、３つの部材１０、１ｂ、２１を組み合わせたシールド構造ｒ１（本実施例の構造）がシールド効果を最も高くすることが出来る。具体的には、外周位置で約５０％に低減することが出来る。また、シュラウド１０だけのシールド構造ｒ４でも、シールド効果がある事が分かる。具体的には最外周では、約５０％に低減でき、最内周でも約１０％低減することが可能である。内周の効果が低いことに対しては、シャフト２１を磁性材料としてシールド効果を持たせれば、つまりシールド構造ｒ３の構成にすることにより、最内周を約３０％低減することが可能となる。また、シュラウド９とカバー１０を磁性材料にするシールド構造ｒ２では、磁気ディスク３の全半径位置において、シールドの低減効果が期待できる。シールド構造ｒ２は、シールド構造ｒ３の構成よりも、より大きな効果を期待できるが、シールド構造ｒ１（本実施例の構造）の効果には及ばない。
【００４１】
以上述べたように、シュラウド１０、カバー１ｂ及びシャフト２１を非磁性材で形成し、それらを連結（連接）することにより、極めて高いシールド効果を得られることが明らかになった。また、シュラウド１０のみでも、その効果が期待できることが分かった。
【００４２】
図９に、磁気ディスク３の径が２．５インチの場合の効果を示す。２．５型ディスクは、高速回転装置、モバイルパソコンなどに使われている。図９Ａに数値で、図９Ｂにグラフでシールド効果を示す。図９Ａ及び図９Ｂから明らかなように、２．５型磁気ディスク装置においても、本発明のシールド効果があり、その効果は、３．５型磁気ディスク装置の場合よりも大きい事がわかる。具体的には、シュラウド１０、カバー１ｂ及びシャフト２１を連結するシールド構造ｐ１の構成では、最外周で５４％低減することができる。３つの部材１０、１ｂ、２１の組合せによるシールド効果の傾向は、２．５型磁気ディスク装置の場合も３．５型磁気ディスク装置のそれと同じであることが分かる。つまり、シュラウド１０だけでも効果はあるが、本実施例にした場合が最も効果が大きく、シュラウド１０だけの場合に比べ、最内周で約３倍以上（（３００−１７３）／（３００−２５９））の低減効果がある。
【００４３】
図１０に、本実施例のシールド構造における、シュラウド厚さと磁束密度との関係を示す。シュラウド厚さが１ｍｍから３ｍｍの範囲では、シールド効果に大きな差異はみられない。しかし、シュラウド厚さは、厚い方がシールド効果は大きいことが分かる。
【００４４】
図１１に、本実施例のシールド構造における、カバー厚さと磁束密度の関係を示す。ディスク半径位置は、１５ｍｍと２４ｍｍの２箇所とした。図１１から分かるように、カバー厚さが０．５ｍｍから５ｍｍの範囲では、そのシールド効果の絶対値はあまり変わらないが（差異は３％）、カバー１ｂの厚さが、１ｍｍの時に磁束密度が最小となり、最も高いシールド効果が得られることがわかる。このため、カバー１ｂの厚さは、特に１ｍｍ前後（具体的には、０．５ｍｍ〜１．５ｍｍの範囲）が望ましい。
【００４５】
図１２は本発明のシールド効果のメカニズムを説明する概念図である。図１２を参照しながら、磁気ディスク３に垂直にカバー側からベース側に外部磁束４００、４０１が掛かった場合の磁束ベクトルの流れを説明する。ディスク面に垂直に入射する磁束ベクトル４０１は、磁性材料であるカバー１ｂを通して曲げられた磁束ベクトル４０１となり、磁性材料であるシュラウド１０を通る磁束ベクトル４０２となり、シュラウド１０から磁気ディスク装置の外部へ放出される。また、締結具１００の近傍に入射する磁束ベクトル４００は、締結具１００を介して、スピンドル機構のシャフト２１に流れ、シャフト２１を通過する磁束ベクトル４０３となって流れ、ベース１ａ側に導かれた後、磁気ディスク装置の外部へ放出される。上述したように、ディスク面に直角に入射する磁束ベクトルは、カバー１ｂからシュラウド１０或いはカバー１ｂからシャフト２１を介して流れるので、換言すれば、磁気ヘッドスライダ９（磁気ヘッド９ａ）を迂回して流れるので）、磁気ヘッドスライダ９（磁気ヘッド９ａ）の位置での磁束密度を低下させて、顕著なシールド効果を発生させる。
【００４６】
また、本実施例の構成とすることにより、磁気ディスク３の面に並行に入射するような磁束ベクトル４１０の中に磁気ヘッドスライダ９（磁気ヘッド９ａ）が置かれても、磁束はシュラウド１０を通して或いはシュラウド１０からカバー１ｂを介して反対側に磁束ベクトル４１１として抜けるので、換言すれば、水平に入射する磁束ベクトルも磁気ヘッドスライダ９（磁気ヘッド９ａ）を迂回するように流れるので、磁気ヘッドスライダ９（磁気ヘッド９ａ）の位置での外部磁界の大きさが（強さ）が弱くなり、顕著なシールド効果を期待することが出来る。
【００４７】
以上述べたように、本実施例では、ディスク面に直角に入射する外部磁界を内周位置で、約１／２に低減することができる。このため、垂直記録方式の磁気ディスク装置においても、外部磁界により、記録・再生の誤動作をすることが無く、信頼性が高く、高記録密度（大容量）の磁気ディスク装置を実現することが可能となる。また、本実施例は、磁気ディスク装置５０の基本構成を変えることなく、また、主要部品である、ベース１ａの材料を変更することなく、顕著なシールド機能を持たせることが可能となる。具体的には、特許文献１のように、装置の周囲にシールド部材を巻き付けたり、或は、カバー、ベースを全て磁性材料で構成する必要がない。このため、フォームファクタを守りながら、シールド機構を設けられるので、装置の大型化、部品（材料）交換による、生産性の低下（コスト上昇）を招くことがない。さらには、シュラウド１０がシールド機能を有しているために、ディスク面に斜め或いは平行に入射する外部磁界に対するシールド効果の向上も期待できる。このような、ディスク面に斜め或いは平行に入射する磁界に対するシールド効果は、本実施例の特有の効果である。
【００４８】
次に、本発明の第２実施例について図１３を用いて説明する。図１３は本発明の第２実施例の磁気ディスク装置に用いるシュラウド１０の斜視図である。この第２実施例は、次に述べる点で第１実施例と相違するものであり、その他の点については第１実施例と基本的には同一である。
【００４９】
第２実施例では、シュラウド１０の窓１３が連結部１６により連結されている。具体的には、図１３に示すように、窓１３の一端１３ａと他端１３ｂとを結ぶ連結部１６が設けられている。このように、連結部１６を設けると、外部磁界（磁束ベクトル）がよりシュラウド１０の中を通り易くなり、換言すると、より多くの磁界がシュラウドの中を通るようになり、磁気ヘッドスライダ９（磁気ヘッド９ａ）の位置での磁界の強さを低減する効果がある。第２実施例では、窓１３は一つだけであるが、磁気ヘッド支持機構４の数に合わせた窓を設けてもよい。窓が小さく、全周に渡り開口部（切り欠き）が無いほうが、シールド効果は高くなる。
【００５０】
第２実施例においても、第１の実施例と同様に、外部磁界の中に磁気ディスク装置が置かれた場合にも、磁気ヘッド位置における磁界を弱めるシールド効果があり、記録再生時の誤動作を防ぐことができる。これにより、信頼性の高い磁気ディスク装置を実現することが可能となる。また、第２実施例においても、フォームファクタの中にシールド機構を収納することが可能となるため、フォームファクタを維持しながら、また、磁気ディスク装置の主要部品である、ベースの材料を変えることなく、シールド効果を得ることができる。また、シュラウド１０がシールド機能を有しているために、磁気ディスク面に斜め或いは平行に入射する磁界に対するシールド効果の向上も期待できる。
【００５１】
次に、本発明の第３実施例について図１４を用いて説明する。図１４は本発明の第３実施例の磁気ディスク装置を説明する図である。図１４Ａはカバー１ｂのディスク面側から見た底面図、図１４Ｂはカバー１ｂの側面図、図１４Ｃは同磁気ディスク装置のベース側の断面図である。この第３実施例は、次に述べる点で第１実施例と相違するものであり、その他の点については第１実施例と基本的には同一である。
【００５２】
第３実施例では、カバー１ｂを非磁性材料で構成すると共に、シュラウド１０の外径とほぼ同じ大きさの磁性材料からなる上部シールド９１をカバー１ｂの内側（ディスク面側）に設けている。上部シールド９１はカバー１ｂの一部を構成する。また、上部シールド９１とスピンドル機構２とは非接触となっている。また、カバー１ｂをベース１ａへ取付けた状態で、上部シールド９１の外周部９２がシュラウド１０の上端１１とが接触するようになっている。これにより、カバー１ｂを磁性材料で作る必要が無くなり、従来の非磁性材料のカバーを利用することができる。また、カバー１ｂの内側に設けるので、装置のフォームファクタを維持することが出来る。また、カバー１ｂとスピンドル機構２を非接触とすることが出来るので、片持ちのスピンドル構造においても、本実施例を適用することが可能となる。
【００５３】
第３実施例の構造は、図８のシールド構造ｒ２、図１０のシールド構造ｐ２に相当し、第１の実施例のシールド構造ｒ１或いはシールド構造ｐ１のシールド効果より、少しシールド効果は小さいが、第１実施例と同様のシールド効果を期待することが出来る。
【図面の簡単な説明】
【００５４】
【図１】本発明の第１実施例の磁気ディスク装置の斜視図である。
【図２】図１のスピンドル機構部の縦断面図である。
【図３】図１の磁気ヘッドスライダ部の側面図である。
【図４】図１のシュラウドの単体状態の斜視図である。
【図５】シールド効果を計算するためのモデル図である。
【図６】図５のモデルの観測面を示す図である。
【図７Ａ】３インチディスクモデルの場合の各観測面における磁束密度の計算結果を数値で示す図である。
【図７Ｂ】３インチディスクモデルの場合の各観測面における磁束密度の計算結果をグラフで示す図である。
【図８Ａ】３インチディスクモデルの場合の中央観測面における磁束密度の計算結果を数値で示す図である。
【図８Ｂ】３インチディスクモデルの場合の中央観測面における磁束密度の計算結果をグラフで示す図である。
【図９Ａ】２．５インチディスクモデルの場合の中央観測面における磁束密度の計算結果を数値で示す図である。
【図９Ｂ】２．５インチディスクモデルの場合の中央観測面における磁束密度の計算結果をグラフで示す図である。
【図１０】２．５インチディスクモデルでシュラウド厚を変化させた場合の上部観測面における磁束密度の計算結果をグラフで示す図である。
【図１１】２．５インチディスクモデルでカバー厚を変化させた場合の上部観測面における磁束密度の計算結果をグラフで示す図である。
【図１２】第１実施例の効果を説明するための概念図である。
【図１３】本発明の第２実施例の磁気ディスク装置に用いるシュラウドの斜視図である。
【図１４Ａ】本発明の第３実施例の磁気ディスク装置に用いるカバーの底面図である。
【図１４Ｂ】図４のカバーの側面図である。
【図１４Ｃ】第３実施例の磁気ディスク装置の縦断面図である。
【符号の説明】
【００５５】
１…筐体、１ａ…ベース、１ｂ…カバー、２…スピンドル機構、３…磁気ディスク、４…磁気ヘッド支持機構、５…アーム、６…位置決め機構、７…ボイスコイルモータ、８…ピボットベアリング、９…磁気ヘッドスライダ、９ａ…磁気ヘッド、１０…シュラウド、１１…上端、１２…下端、１３…開口部、１４…内壁面、１５…外壁面、１６…連結部、２１…シャフト、２２…ベアリング、２３…ハブ、２４…磁石、２５…コイル、３１…スペーサ、４０…サスペンション、（４１…磁気ヘッド）、９１…上部シールド、９２…接合部、１００…締結具、２００…観測位置、４００…磁束ベクトル。
【図１】
2006079745.tif 000003
【図２】
2006079745.tif 000004
【図３】
2006079745.tif 000005
【図４】
2006079745.tif 000006
【図５】
2006079745.tif 000007
【図６】
2006079745.tif 000008
【図７Ａ】
2006079745.tif 000009
【図７Ｂ】
2006079745.tif 000010
【図８Ａ】
2006079745.tif 000011
【図８Ｂ】
2006079745.tif 000012
【図９Ａ】
2006079745.tif 000013
【図９Ｂ】
2006079745.tif 000014
【図１０】
2006079745.tif 000015
【図１１】
2006079745.tif 000016
【図１２】
2006079745.tif 000017
【図１３】
2006079745.tif 000018
【図１４Ａ】
2006079745.tif 000019
【図１４Ｂ】
2006079745.tif 000020
【図１４Ｃ】
2006079745.tif 000021